【手続補正書】
【提出日】平成15年9月17日(2003.9.17)
【手続補正１】
【補正対象書類名】明細書
【補正対象項目名】全文
【補正方法】変更
【補正の内容】
【発明の名称】カメラの情報設定装置
【特許請求の範囲】
【請求項１】互いに異なる第１方向と第２方向とにそれぞれ往復操作可能で、かつ前記第１方向及び前記第２方向とは異なる第３方向への操作が可能な操作機構と、
前記操作機構の操作内容から、前記第１方向または前記第２方向または前記第３方向への操作であることをそれぞれ検出する第１方向検出手段、第２方向検出手段、第３方向検出手段と、
前記第１方向検出手段の検出出力に従い順に第１情報を設定する第１情報設定手段と、
前記第２方向検出手段の検出出力に従い順に第２情報を設定する第２情報設定手段と、
前記第１方向検出手段と前記第２方向検出手段との何れか一方の検出動作後に前記第３方向検出手段の検出出力があったときは、前記第１方向検出手段と前記第２方向検出手段との一方の検出手段の検出動作に係る操作内容に対応する前記第１情報または前記第２情報を確定する情報確定手段と
を備えたことを特徴とするカメラの情報設定装置。
【請求項２】互いに異なる第１方向と第２方向とにそれぞれ往復操作可能で、かつ前記第１方向及び前記第２方向とは異なる第３方向への操作が可能な操作機構と、
前記操作機構の操作内容から、前記第１方向または前記第２方向または前記第３方向への操作であることをそれぞれ検出する第１方向検出手段、第２方向検出手段、第３方向検出手段と、
前記第１方向検出手段の検出出力に従い順に第１情報を設定する第１情報設定手段と、
前記第２方向検出手段の検出出力に従い順に第２情報を設定する第２情報設定手段と、
前記第３方向検出手段の検出出力があったときは、それ以前になされた操作に対応する前記第１方向検出手段または前記第２方向検出手段の検出内容を保持して、または無効にして初期状態へ復帰するリセット手段と
を備えたことを特徴とするカメラの情報設定装置。
【請求項３】請求項１または請求項２に記載のカメラの情報設定装置において、
前記操作機構は、回転可能に設定されるボールからなり、
前記第１方向検出手段及び第２方向検出手段は、前記ボールに加えられた前記第１方向及び前記第２方向とに対応する回転方向をそれぞれ検出し、
前記第３方向検出手段は、前記ボールに加えられた押圧力の有無を前記第３方向として検出する
ことを特徴とするカメラの情報設定装置。
【発明の詳細な説明】
【０００１】
【発明の属する技術分野】
本発明は、カメラの測光モード、露出モード、測距モード等のモード情報の内容を設定するカメラの情報設定装置に関する。
【０００２】
【従来の技術】
カメラにおいては撮影者自身が測光モード、露出モード、測距モード等の作動内容を設定できる機能を備えたものが増加している。その操作形態は、それぞれ専用の選択ダイアルにて設定するアナログ的方法、モード選択ボタンとアップダウンボタンの併用にて設定するデジタル的方法の何れかに大別できる。
【０００３】
何れの方法においても、被写体の輝度、位置などの急激な変化に合わせて的確な露光が得られなければならないため、それらの操作機構は迅速に変更調整操作のできることが必要である。
【０００４】
【発明が解決しようとする課題】
しかし、従来のカメラでは、各モード毎に操作機構を備えるので、操作モード数が増加すると、それだけ操作が煩雑化し、各種モードを迅速に変更調整操作することが困難になり、シャッタチャンスを逃す場合も生ずる。
【０００５】
そこで、単一の操作機構で各種モードの内容を設定できる情報設定装置の開発が望まれる。ここに、本発明者は、トラックボールが本来有する平面内の任意方向の位置を選択する機構に着目してかかるトラックボールで被写体の測距位置を選択指示する方法を開発し先に出願した（特開平６−１４８７１４号公報）。しかし、このものでは、測距という１つのモードのみを対象とする点で不十分である。更に、操作機構としては、トラックボール以外にも利用できるものがある。
【０００６】
また、情報の変更調整操作では確定入力やリセット入力の機能も必要である。この点に関し、上記特開平６−１４８７１４号公報の記載及び特開平６ー２３０８９２号公報に記載の、トラックボールが本来有する平面内の任意方向の位置を選択する機構の他、ボール自体の押下げを検出できる機構を備えたトラックボール、を利用することが考えられるが、これをカメラにおいてどのようにして実現するかが問題となる。
【０００７】
本発明は、このような従来の課題を解決すべく創作されたもので、その目的は、
単一の操作機構で各種モードの内容を簡単に設定できるカメラの情報設定装置を提供することにある。
【０００８】
【課題を解決するための手段】
前記目的を達成するため、本発明のカメラの情報設定装置は次の如き構成を有する。
【０００９】
図１は、請求項１の発明の原理ブロック図である。図１において、本請求項のカメラの情報設定装置は、第１方向と第２方向とにそれぞれ往復操作可能で、かつ第１方向及び第２方向とは異なる第３方向への操作も可能な操作機構を備えている。
【００１０】
さらに、本請求項のカメラの情報設定装置は、操作機構の操作内容から第１方向または第２方向または第３方向への操作であることをそれぞれ検出する第１方向検出手段、第２方向検出手段、第３方向検出手段と、第１方向検出手段の検出出力に従い順に第１情報を設定する第１情報設定手段と、第２方向検出手段の検出出力に従い順に第２情報を設定する第２情報設定手段と、第１方向検出手段と第２方向検出手段との何れか一方の検出動作後に第３方向検出手段の検出出力があったときは、第１方向検出手段と第２方向検出手段との一方の検出手段の検出動作に係る操作内容に対応する第１情報または第２情報を確定する情報確定手段とを備えている。
【００１１】
図２は、請求項２の発明の原理ブロック図である。図２において、本請求項のカメラの情報設定装置は、第１方向と第２方向とにそれぞれ往復操作可能で、かつ第１方向及び第２方向とは異なる第３方向への操作も可能な操作機構と、操作機構の操作内容から、第１方向または第２方向または第３方向への操作であることをそれぞれ検出する第１方向検出手段、第２方向検出手段、第３方向検出手段と、第１方向検出手段の検出出力に従い順に第１情報を設定する第１情報設定手段と、第２方向検出手段の検出出力に従い順に第２情報を設定する第２情報設定手段と、第３方向検出手段の検出出力があったときは、それ以前になされた操作に対応する第１方向検出手段または第２方向検出手段の検出内容を保持して、または無効にして初期状態へ復帰するリセット手段とを備えている。
【００１２】
請求項３の発明は、請求項１または請求項２のカメラの情報設定装置において、操作機構が回転可能に設定されるボールからなり、第１方向検出手段及び第２方向検出手段がボールに加えられた第１方向及び第２方向とに対応する回転方向をそれぞれ検出し、第３方向検出手段がボールに加えられた押圧力の有無を第３方向として検出することを特徴とする。
【００１３】
（作用）
次に前記の如く構成される本発明のカメラの情報設定装置の作用を説明する。
【００１４】
請求項１に記載の発明は、図１に示すように、互いに異なる第１方向と第２方向とにそれぞれ往復操作可能であると共に、第１方向及び第２方向とは異なる第３方向への操作も可能である操作機構を有し、第１方向への操作を検出する第１方向検出手段の出力に従って第１情報を設定でき、第２方向への操作を検出する第２方向検出手段の出力に従って第２情報を設定できる。
【００１５】
さらに、本請求項の発明は、その操作過程で第３方向検出手段が第３方向への操作を検出すると、情報確定手段が、第１方向検出手段と第２方向検出手段との何れか一方の検出手段の検出動作に係る操作内容に対応する第１情報または第２情報を確定できる。
【００１６】
具体的には、操作機構を例えば第１方向へ操作し、次に第３方向へ操作すると、その直前の第１方向への操作で選択した第１情報の内容が確定するので、次に操作機構を第２方向へ操作すればその確定した第１情報の内容が変更される。これにより、２次元的にいわばマトリクス状に配置される第１情報と第２情報の選択、変更を支障なく実行できる。
なお、第１情報は、露光、測光、測距などのモード情報とし、第２情報は、各種のモード情報それぞれの詳細データとすることができる。従って、単一の操作機構によりカメラが備える各種機能を選択、変更できる。ここに、操作機構は、その趣旨から、ボールやジョイスティック等を用いて構成されることが理解される。
【００１７】
請求項２に記載の発明は、図２に示すように、互いに異なる第１方向と第２方向とにそれぞれ往復操作可能であると共に、第１方向及び第２方向とは異なる第３方向への操作も可能である操作機構を有し、第１方向への操作を検出する第１方向検出手段の出力に従って第１情報を設定でき、第２方向への操作を検出する第２方向検出手段の出力に従って第２情報を設定できる。さらに、本請求項の発明は、その操作過程で第３方向検出手段が第３方向への操作を検出すると、リセット手段が、それ以前になされた操作に対応する第１方向検出手段または第２方向検出手段の検出内容を保持してまたは無効にして初期状態へ復帰する。
【００１８】
これにより、初期位置からの再操作を可能にする。
なお、請求項３に記載の発明のように、操作機構を回転可能に設定されるボールで構成し、このボールに加えられる互いに異なる２つの回転方向を第１方向及び第２方向に対応させ、ボールに加えられる押圧力の有無を第３方向に対応させれば、操作性の優れた情報設定装置を提供できる。
【００１９】
【発明の実施の形態】
以下、本発明の実施の形態を図面を参照して説明する。
図３は、本発明の実施の形態のカメラの外観図である。図３において、カメラ１の前面（図中紙背側）にはレンズ２が装着され、カメラ１の後面（図中紙表側）にはファインダ６が設けられ、レンズ２を通過した被写体像をこのファインダ６で視認できるようになっている。
【００２０】
また、カメラ１を横にした図示例の上面には、後方から見て右側に表示器５が設けられる。この表示器５は、ファインダ６内に配設される場合もあるが、この表示器５により露出、測光、測距等の各種モードの設定内容を視認できるようになっている。
【００２１】
また、カメラ１を横にした上面には、後方から見て右側の図中紙背側への迫り出し部分にシャッタボタン３が配置される。なお、同じ迫り出し部分の側部には、もう１つのシャッタボタン４を配設してある。これはカメラ１を縦位置に構えた際に使用されるものである。
周知のように、シャッタボタン３、４の操作では、半押しの第１段階の押圧で内部回路への給電が行われ、全押しの第２段階の押圧で装填されているフイルムへの露光が行われる。
【００２２】
そして、カメラ１の後面（図中紙表側）には、本発明の操作機構であるボール１０が設けられる。このボール１０は、図４に示すように、カメラ１を構えた時に右手親指７が自然にかかる位置に配置される。
ボール１０周辺の具体的な構造は後述するが（図６）、図４に示すように、矢印で示す前後方向（図中上下方向）と横方向（図中左右方向）に回転操作され、また×印で示す紙表面から紙背面へ向かう押圧操作が行える。
【００２３】
次に、図５は、本発明の実施の形態のカメラの電気的構成図である。図５において、中央処理装置（以下「ＣＰＵ」と言う）３７は、カメラ動作制御の中枢であり、インターフェース回路（以下「ＩＮＴ」と言う）３６、３８を介して情報の入力と制御を実行する。
具体的には、ＩＮＴ３６を介して、装填されているフィルムの感度を感度検出回路３３から取り込み、レンズ２を含む光学系３１を介した測光センサ３０と測距センサ３２への被写体像をそれらから取り込み、測距センサ３２から被写体の合焦状態に関する信号を取り込み、フォーカスモータ３４を駆動して合焦状態を実現する。
【００２４】
更に、ＩＮＴ３６を介して、スイッチ群３５の各種のスイッチからカメラ１内のシーケンス状態を示す各種の信号を取り込む。
そして、ボール１０に関わる後述（図６）する信号を取り込み、ボール１０の回転方向を検出し、また押圧操作を検出し、それぞれに対応してモード情報の設定操作等を行う。
【００２５】
また、ＩＮＴ３８を介して、表示器５を駆動して露光条件、測距条件などの表示を行い、電子閃光装置３９を発光させ、シャッタ４０を開閉してフィルムへの露光時間を制御し、絞り４１の開口量を制御してフィルムへ到達する被写体光量を制御し、給送モータ４２を駆動してフィルムの巻き上げ、巻き戻しを制御する。
次に、図６は、操作機構の詳細図である。図６において、ボール１０は、有底円筒状の弾性パッキン１１の環状開口部に回転可能に載置されている。そして、弾性パッキン１１は、ボール１０を押圧すると下動し、押圧を止めると上動してボール１０を元の位置に戻すようになっている。
【００２６】
弾性パッキン１１の底部下方にはスイッチ１２が設けられる。スイッチ１２は、弾性パッキン１１の底部に押圧されると閉成する。このスイッチ１２の開閉動作信号がＣＰＵ３７に取り込まれる。
ＣＰＵ３７は、押圧検出手段がこの開閉動作信号から第３方向たる押圧の有無を検出し、押圧信号を形成し、形成した押圧信号に従い、設定情報の確定、また、設定情報のリセットを行う。
【００２７】
また、ボール１０の側周囲には回転検出ローラ１３が設けられる。回転検出ローラ１３は、作図の都合から１つだけ示してあるが、実際には２つの回転検出ローラ１３がほぼ９０°隔たって配置され、それぞれボール１０の側周面に接触して設けられる。
つまり、ボール１０が回転操作されると、２つの回転検出ローラ１３の一方または双方が連れ周りして、回転検出が行われる。２つの回転検出ローラ１３の回転検出出力は電気信号へ変換され、ＣＰＵ３７に取り込まれる。
【００２８】
ＣＰＵ３７では、回転方向検出手段が２つの回転検出ローラ１３の回転検出内容をベクトル演算して回転方向が「上下方向」であるか「横方向（左右方向）」であるか、回転量を検出し、それに基づきモードの変更調整操作の内容を決定する。「上下方向」と「左右方向」の一方が第１方向に対応し、他方が第２方向に対応する。
【００２９】
なお、弾性パッキン１１は、ボール１０を回転させる力に対しては変形しないだけの弾性を有している。即ち、各種モードの変更調整操作時にはスイッチ１２が作動しないようにしてある。
以上の構成において、請求項との対応関係は次のようになっている。
【００３０】
操作機構にはボール１０が対応する。
第１方向検出手段及び第２方向検出手段には回転検出ローラ１３とＣＰＵ３７の全体が対応する。第３方向検出手段には弾性パッキン１１とスイッチ１２とＣＰＵ３７の全体が対応する。
第１情報設定手段及び第２情報設定手段にはボール１０と回転検出ローラ１３とＣＰＵ３７の全体が対応する。情報確定手段及びリセット手段にはボール１０と弾性パッキン１１とスイッチ１２とＣＰＵ３７の全体が対応する。
【００３１】
以下、図７〜図１２を参照して、本発明の実施の形態の動作説明をする。
図７は、露出関連モード選択の例を示す図である。モード選択の操作は、例えば図７（ａ）に示すように、ボール１０を右手親指７で左右方向へ回転することにより行う。
【００３２】
表示器５には、例えば図７（ｂ）示すように、横方向に▽印で示す３つのセグメント２１、２２、２３が設けられ、これら３つのセグメントそれぞれに対応して３つのセグメント２４、２５、２６が図中上下方向に対応して設けられる。
【００３３】
▽印のセグメント２１、２２、２３は、モード選択用のもので、図７（ａ）に示すようにボール１０を左右方向へ回転することによって３つのセグメント２１、２２、２３の１つが順々に移動するように点灯・消灯され、選択の内容を視認できるようになっている。
図示例では、セグメント２１が点灯して▼印となり、このセグメント２１が示すモードが選択されたことを示している。本実施の形態では、図７（ｂ）の表示状態が初期表示状態である。
【００３４】
セグメント２１に対応するセグメント２４は、Ｐ、Ｓ、Ａ、Ｍの４つの露出モードを表示する。なお、Ｐはプログラム優先の、Ｓはシャッタ優先の、Ａは絞り優先の、Ｍはマニュアルの露出モードを示す。図示例では、セグメント２４はマニュアルの露出モードＭを表示している。
セグメント２２に対応するセグメント２５は、前述したＰ、Ｓ、Ａのオート露出モードでは、自動的に演算されたシャッタタイムを表示し、マニュアルモードＭでは手動で選択したシャッタタイムを表示する。図示例では、１／２０００が表示されているが、１／２０００、１／１０００、・・、１／２、１／１等の表示が行える。
【００３５】
セグメント２３に対応するセグメント２６は、前述したＰ、Ｓ、Ａのオート露出モードでは、自動的に演算された絞り値を表示し、マニュアルモードＭでは手動で選択した絞り値を表示する。図示例では、Ｆ５．６が表示されているが、Ｆ１．４、Ｆ２、・・・、Ｆ２２、Ｆ３２等の表示が行える。
次に、図８は、モード選択確定の例を示す図である。モード選択確定の操作は、図８（ａ）に示すように、ボール１０を右手親指７で押圧することにより行う。図８（ｂ）は、図７においてボール１０を右手親指７で左右方向へ回転させセグメント２２を点灯させてシャッタタイムを選択し、そのボール１０を右手親指７で押圧した状態を示す。シャッタタイムが選択確定されたとしてセグメント２５のみが点灯表示され、セグメント２４と２６は消灯している。
【００３６】
次に、図９は、選択モードの内容の変更の例を示す図である。選択モードの内容の変更操作は、図９（ａ）に示すように、ボール１０を右手親指７で上下方向へ回転させることにより行う。
図８の状態でボール１０を右手親指７で上下方向へ回転させると、セグメント２５によるシャッタタイムの表示は回転量に合わせて順々にその値が変化する。
【００３７】
図９（ｂ）は、シャッタタイム１／５００を表示した状態を示す。
このまま撮影して良ければシャッタボタン３を押せば良い。露光が完了すると図７（ｂ）のように表示器５は、全ての条件を再度表示する。勿論、セグメント２５は１／５００であることを表示している。
なお、図９（ｂ）の状態となった後に他のセグメントも確認したい場合には、再度ボール１０に押圧を加えれば良い。表示器５の表示は、セグメント２５にて１／５００を表示した条件で図７（ｂ）のような初期表示状態へ復帰する。即ち、リセット手段の動作が行われる。
【００３８】
マニュアルモード以外に例えば絞り優先モードを選択するには、図７（ｂ）の表示例に示すようにボール１０の左右方向への回転操作でセグメント２１を点灯し、その状態でボール１０を押圧して確定し、ボール１０の上下方向への回転操作でセグメント２４に“Ａ”が表示されるよう選択を行う。
次いでボール１０を押圧して初期表示状態とした後、ボール１０の左右方向への回転操作でセグメント２３を点灯させ、確定操作をし、ボール１０の上下方向への回転操作を行ってセグメント２６に所望の絞り値を表示させると良い。
【００３９】
なお、このときシャッタタイムは自動的に設定されるものであるため、セグメント２２を点灯させることはできず自動的にスキップする。
以上のように、ボール１０の左右方向への回転は変更対象となるモード選択用のセグメント（２１、２２、２３）の変更、上下方向への回転は選択したモードの詳細内容の変更、押圧は確定またはリセットを行うために使い分けがされる。これらは全て同じ右手親指７のみで行えることは言うまでもない。
【００４０】
以上露出関連のモードを例に挙げて説明したが、その他例えば、測距／測光関連モード、デートモード等を挙げることができる。測距／測光関連モードでは、例えばセグメント２１と２４の組に測距モード（ＡＦ：オートフォーカス、ＭＦ：マニュアルフォーカス）を、セグメント２２と２５の組にＡＦモード（Ｃ：コンティニアス、Ｓ：シングル）を、セグメント２３と２６の組に測光モード（ＡＭＰ：オートマルチパターン、Ｃ／Ｗ：センタウエイト、ＳＰＯＴ：中心測光）をそれぞれ割り当てると良い。
【００４１】
また、デートモード（年、月、日）では、同様に、セグメント２１と２４の組に「年」（１、２、・・、９９、００）を、セグメント２２と２５の組に「月」（１、２、・・、１１、１２）を、セグメント２３と２６の組に「日」（１、２、・・・、３０、３１）をそれぞれ割り当てると良い。
ところで、以上の説明は、モードの選択、確定、詳細内容の変更の３つのステップを有する場合であるが、ボール１０の左右方向への回転によってセグメント２１〜２３の何れを選択したかはＣＰＵ３７において知り得るので、図７（ｂ）の表示例においては確定操作は必ずしも必要ではない。
【００４２】
即ち、ボール１０を左右方向へ回転して例えばセグメント２２を選択点灯させ、その後直ちにボール１０を上下方向へ回転させることで図９（ｂ）の表示例を得ることができる。
また、ズーミングとフォーカシングの組み合わせでは、表示器５にセグメント２１〜２６を設けずに、１個のセグメントのみを設け、ボール１０の左右方向への回転操作でズーミング値を表示させ、上下方向への回転操作でフォーカシング値を表示させ得る。
【００４３】
従って、ボール１０に代えて、例えばジョイスティクのように単に左右方向と上下方向への移動操作が可能な操作機構も使用できることが理解できる。つまり、請求項記載の操作機構は、例えばジョイスティクのように単に左右方向と上下方向への移動操作が可能な操作機構も含まれる。
【００４４】
確定操作が効果を発揮するのは、図７（ｂ）の表示例で言えば、セグメント２１〜２３、セグメント２４〜２６が複数組ある場合である。具体的には、セグメント２１〜２３、２４〜２６として、（２１ａ、２２ａ、２３ａ）（２４ａ、２５ａ、２６ａ）、（２１ｂ、２２ｂ、２３ｂ）（２４ｂ、２５ｂ、２６ｂ）、（２１ｃ、２２ｃ、２３ｃ）（２４ｃ、２５ｃ、２６ｃ）の３組あり、（２１ａ、２２ａ、２３ａ）（２４ａ、２５ａ、２６ａ）の組に露出関連のモードを割り当て、（２１ｂ、２２ｂ、２３ｂ）（２４ｂ、２５ｂ、２６ｂ）の組に測距／測光のモードを割り当て、（２１ｃ、２２ｃ、２３ｃ）（２４ｃ、２５ｃ、２６ｃ）の組にデートモードを割り当てる場合を考えれば容易に理解できる。
【００４５】
次に、図１０は、測距位置選択の例を示す図である。図１０（ａ）に示すように、ボール１０は、右手親指１０により矢印で示すように、上下方向と左右方向とに回転操作される。
従って、図１０（ｂ）（ｃ）に示すように、カメラ１の外部あるいはファインダ６内に設けられる表示器５の矩形の画面内に、中央枠セグメント３０、左枠セグメント３１、上枠セグメント３２、右枠セグメント３３、下枠セグメント３４の５カ所の測距位置を設定するとすれば、ボール１０の回転操作によってこれら５カ所の測距位置を設定できる。なお、測距センサ３２は、これら５カ所の測距位置に対応して被写体の焦点状態の検出ができるようになっている。
【００４６】
図１０（ｂ）は、左枠セグメント３１が選択された状態を示す。選択された「左枠セグメント３１」は濃く表示され、その他の「非選択枠セグメント３０、３２〜３４」との識別ができるようにしてあるので、撮影者は左枠セグメント３１の部分に焦点を合わせたい被写体を置くような撮影アングルを選択すれば良い。
測距したいエリアを別の位置に変更するには、図１０（ａ）に示すように、ボール１０を上下方向あるいは左右方向へ回転させ、所望の枠セグメントが濃く表示されるようにする。
【００４７】
例えばボール１０を所定量左右方向へ回転させると、一旦は中央枠セグメント３０が濃く表示された後、図１０（ｃ）に示すように右枠セグメント３３が濃く表示されて測距位置が移動したことが判る。
ここで、周辺でありかつその方向での限界である枠セグメント３１〜３４の何れかが選択された後は、ボール１０をさらに左、上、右あるいは下に回転させてもそれ以上表示が変化することはない。
【００４８】
ところで、様々な撮影状況を考慮すると、図１０（ｂ）あるいは図１０（ｃ）のような状態から他の測距位置を選択する場合で、ボール１０を何回転も操作し続ける時間的余裕がない時、あるいはどの測距位置を選択しているか判らなくなった状態が想定される。
そこで、図１１に示す操作が有効となる。図１１は、測距位置を初期位置にする例を示す図である。図１１（ａ）に示すように、ボール１０に押圧を加え、スイッチ１２をオンさせると、図１０（ｂ）（ｃ）の表示例で示す左枠セグメント３１、右枠セグメント３３の選択領域はリセットされ、図１１（ｂ）に示すような中央枠セグメント３４の初期位置に復帰するようになっている。
【００４９】
その後再び測距位置を変更する場合には図１０（ａ）に示すようにボール１０を回転させれば良い。
以上のような初期状態へのリセット機能は、図示のように５カ所の測距位置を有する場合よりも、さらに多くの測距位置を有するカメラにおいて有用であろうことは容易に理解できる。
【００５０】
次に、図１２は、ＣＰＵ３７が行う情報設定動作のフローチャートである。本手順は、バッテリが接続され、シャッタボタン３の第１段階への押圧によって電源スイッチが投入されると開始され、電源タイマ等によって給電が持続されている間繰り返し実行される。
【００５１】
なお、本手順は、図７〜図９で説明した露出条件の選択変更に関わる作動についてのものであり、図１０、図１１に関わる測距位置選択処理については同様に行えるものであるので、その説明は省略する。
図１２において、Ｓ１では、記憶回路（ＭＥＭ）４３から前回設定されていた条件を読み出す。
【００５２】
Ｓ２では、測光センサ３０から被写体輝度信号を、感度検出回路３３からフィルム感度信号をそれぞれ取り込む。
Ｓ３では、上記両信号をＳ１で読み出した各種条件に応じて演算し、適正露光条件を算出した後、シャッタタイム、絞り値を決定し、表示器５上にその結果を表示する。
【００５３】
Ｓ４では、２つの回転検出ローラ１３の出力を取り込み、回転方向検出手段（図６参照）がベクトル演算を実行し、ボール１０が左右方向へ回転されているかを検出する。回転されている場合にはその回転量も算出する。判断結果、左右回転されていれば、判定は肯定（ＹＥＳ）となりＳ５に進み、左右回転されていなければ、判定は否定（ＮＯ）となりＳ６に進む。
【００５４】
Ｓ５では、左右に回転されていたので、表示器５上のセグメント２１〜２３の何れかを点灯させる処理を行う。図７（ｂ）の表示例に相当する処理である。
Ｓ６では、押圧検出手段（図６参照）がスイッチ１２の出力信号から押圧有無を検出し、ボール１０に押圧が加えられているかを判断する。判断結果、押圧が加えられていれば、判定は肯定（ＹＥＳ）となりＳ７に進み、押圧が加えられていなければ、判定は否定（ＮＯ）となりＳ１１に進む。
【００５５】
Ｓ７では、セグメント２１〜２３のうちＳ５で選択された１つのセグメントのみを残して他のセグメントを消灯する。図８（ｂ）の表示例に相当する処理である。
【００５６】
Ｓ８では、２つの回転検出ローラ１３の出力を取り込み、回転方向検出手段（図６参照）がベクトル演算を実行し、ボール１０が上下方向へ回転されているかを検出する。回転されている場合にはその回転量も算出する。
Ｓ９では、上下方向へ回転されていたので点灯しているセグメントの値を変更する処理を行う。図９（ｂ）の表示例に相当する処理である。
【００５７】
Ｓ１０では、押圧検出手段（図６参照）がスイッチ１２の出力信号から押圧有無を検出し、ボール１０に押圧が加えられたかを判断する。判断結果、押圧が加えられていれば、判定は肯定（ＹＥＳ）となりＳ１１に進み、押圧が加えられていなければ、判定は否定（ＮＯ）となりＳ１２に進む。
Ｓ１１では、以上のようにして選択あるいは変更された条件に基づいて表示器５に最新の表示を行い、さらに新たなデータとして記憶回路（ＭＥＭ）４３に格納する。
【００５８】
なお、前述したＳ４あるいはＳ６にてそれぞれの操作が行われていないと判断された場合にも新たに格納し直す操作が行われる。
Ｓ１２では、シャッタボタン３が第２段階まで深く押され、露光開始の指令が発せられたか否かを判断する。判断結果、押されていれば判定は肯定（ＹＥＳ）となりＳ１３に進む。押されていなければ判定は否定（ＮＯ）となり露光動作は不要として先のＳ２に戻り、上記の処理を繰り返し実行する．
Ｓ１３では、Ｓ１０にて押圧が加えられていないままＳ１２にて露光指令が発せられた場合に備え、最新のデータを記憶回路（ＭＥＭ）４３に格納する。
【００５９】
Ｓ１４では、所定の露光シーケンスを実行する。詳しくはまず絞り４１をＳ３で求めておいた所定値に制御し、シャッタ４０をＳ３で求められた値に応じて所定時間開き、その後給送モータ４２を駆動してフィルムを１コマ分巻き上げるのである。そして先のＳ２に復帰して次の露光に備える。
【００６０】
【発明の効果】
以上説明したように、本発明では、単一の操作機構によりカメラが備える各種機能を選択し、その選択した機能の詳細を変更設定できる。
【００６１】
また、本発明の一形態では、第１方向または第２方向への操作過程で第３方向へ操作すると選択した第１情報または第２情報を確定できるので、第１情報と第２情報の配置が一次元的な場合だけでなく、２次元的にいわばマトリクス状に配置される場合でも、機能の選択、変更を単一の操作機構で実行できる。
【００６２】
本発明の別の一形態では、第１方向または第２方向への操作過程で選択した第１情報または第２情報を第３方向への操作によって初期のものにリセットできるので、単一の操作機構による操作で初期位置からの再操作を簡単に実行できる。
また、本発明の別の一形態では、上述の形態において、操作機構を回転可能に設定されるボールで構成し、このボールに加えられる互いに異なる２つの回転方向を第１方向及び第２方向に対応させ、ボールに加えられる押圧力の有無を第３方向に対応させるので、操作性の優れたカメラの情報設定装置を提供できる。
【００６３】
以上要するに、本発明によれば、単一の操作機構でカメラが備える各種情報を選択、変更できるので、撮影者は、操作機構を操作するある特定の指を常に同じ位置に置いたままで撮影に専念でき、シャッタチャンスを逃すことがない。
【図面の簡単な説明】
【図１】本発明の一形態の原理ブロック図である。
【図２】本発明の別の一形態の原理ブロック図である。
【図３】本発明の発明の実施の形態のカメラの外観図である。
【図４】操作機構付近の拡大図である。
【図５】本発明の実施の形態のカメラの電気的構成図である。
【図６】操作機構の詳細図である。
【図７】露出関連モード選択の例を示す図であり、（ａ）は変更操作の説明図、（ｂ）は表示例を示す図である。
【図８】モード選択確定の例を示す図であり、（ａ）は確定操作の説明図、（ｂ）は表示例を示す図である。
【図９】選択モードの内容の変更の例を示す図であり、（ａ）は変更操作の説明図、（ｂ）は表示例を示す図である。
【図１０】測距位置選択の例を示す図であり、（ａ）は測距位置変更操作の説明図、（ｂ）（ｃ）は表示例を示す図である。
【図１１】測距位置を初期位置にする例を示す図であり、（ａ）はリセット操作の説明図、（ｂ）は表示例を示す図である。
【図１２】本発明の実施の形態の動作フローチャートである。
【符号の説明】
１  カメラ
２  レンズ
３、４  シャッタボタン
５  表示器
７  右手親指
１０  ボール
１１  弾性パッキン
１２  スイッチ
１３  回転検出ローラ
３０  測光センサ
３１  光学系
３２  測距センサ
３３  感度検出回路
３４  フォーカスモータ
３５  スイッチ群
３６、３８  インタフェース回路（ＩＮＴ）
３７  中央処理装置（ＣＰＵ）
３９  電子閃光装置
４０  シャッタ
４１  絞り
４２  給送モータ
４３  記憶回路（ＭＥＭ）


【手続補正２】
【補正対象書類名】図面
【補正対象項目名】全図
【補正方法】変更
【補正の内容】
【図１】
1998078597.tif 000001
【図２】
1998078597.tif 000002
【図３】
1998078597.tif 000003
【図４】
1998078597.tif 000004
【図５】
1998078597.tif 000005
【図６】
1998078597.tif 000006
【図７】
1998078597.tif 000007
【図８】
1998078597.tif 000008
【図９】
1998078597.tif 000009
【図１０】
1998078597.tif 000010
【図１１】
1998078597.tif 000011
【図１２】
1998078597.tif 000012